(57)【要約】【課題】特性の向上が図れる積層コイル部品を提供する。【解決手段】積層コイル部品１は、素体２と、素体２内に配置されており、一対の側面２ｅ，２ｆの対向方向に沿ってコイル軸ＡＸが延在しているコイル８と、一対の端面２ａ，２ｂの対向方向において離間して配置されていると共に素体２に埋設されている端子電極４及び端子電極５と、を備え、端子電極４及び端子電極５のそれぞれは、少なくとも端面２ａ，２ｂ及び主面２ｄにわたって配置されており、一対の側面２ｅ，２ｆの対向方向から見て、端子電極４及び端子電極５のそれぞれとコイル８の少なくとも一部とは重なっており、一対の端面２ａ，２ｂの対向方向から見て、端子電極４及び端子電極５のそれぞれとコイル８とは重なっていない。【選択図】図３
2020119978.tif 000002
【特許請求の範囲】
【請求項１】
複数の絶縁体層が積層されて形成されており、互いに対向している一対の端面と、互いに対向している一対の主面と、互いに対向している一対の側面と、を有し、一方の前記主面が実装面である素体と、
前記素体内に配置されており、一対の前記側面の対向方向に沿ってコイル軸が延在しているコイルと、
一対の前記端面の対向方向において離間して配置されていると共に前記素体に埋設されている第一端子電極及び第二端子電極と、を備え、
前記第一端子電極及び前記第二端子電極のそれぞれは、少なくとも前記端面及び前記実装面にわたって配置されており、
一対の前記側面の対向方向から見て、前記第一端子電極及び前記第二端子電極のそれぞれと前記コイルの少なくとも一部とは重なっており、
一対の前記端面の対向方向から見て、前記第一端子電極及び前記第二端子電極のそれぞれと前記コイルとは重なっていない、積層コイル部品。
【請求項２】
前記第一端子電極及び前記第二端子電極のそれぞれは、
前記実装面に配置されている第一電極部分と、
前記端面に配置されていると共に、一対の前記側面の対向方向において離間して配置されている第二電極部分及び第三電極部分と、を有している、請求項１に記載の積層コイル部品。
【請求項３】
前記コイルの一端部は、前記第一端子電極において前記第一電極部分に接続されており、
前記コイルの他端部は、前記第二端子電極において前記第一電極部分に接続されている、請求項２に記載の積層コイル部品。
【請求項４】
前記第二電極部分は、前記端面及び一方の前記側面にわたって配置されており、
前記第三電極部分は、前記端面及び他方の前記側面にわたって配置されている、請求項２又は３に記載の積層コイル部品。
【請求項５】
前記第二電極部分及び前記第三電極部分のそれぞれには、一対の前記側面の対向方向において互いに対向する前記素体内の内面のそれぞれから突出する突出部が設けられている、請求項２〜４のいずれか一項に記載の積層コイル部品。
【請求項６】
一対の前記側面の対向方向から見て、前記第一端子電極及び前記第二端子電極のそれぞれは、前記コイルの内縁よりも内側の領域と重なっていない、請求項１〜５のいずれか一項に記載の積層コイル部品。
【発明の詳細な説明】
【技術分野】
【０００１】
本発明は、積層コイル部品に関する。
【背景技術】
【０００２】
従来の積層コイル部品として、たとえば、特許文献１に記載されているものが知られている。特許文献１に記載の積層コイル部品は、素体と、素体内に配置されているコイルと、素体に埋設されていると共に素体の端面及び実装面にわたって配置されている一対の端子電極と、を備えている。
【先行技術文献】
【特許文献】
【０００３】
【特許文献１】特開２０１７−７３５３６号公報
【発明の概要】
【発明が解決しようとする課題】
【０００４】
従来の積層コイル部品のように、端子電極が素体に埋設されている構成では、積層コイル部品の小型化を図れる。しかしながら、端子電極を素体内に配置すると、素体内の領域が小さくなるため、コイルの内径を大きくすることができない。また、従来の積層コイル部品において、コイルの内径を大きくしようとすると、端子電極とコイルとの間の距離が短くなる。これにより、コイルと端子電極とにより形成される浮遊容量（寄生容量）が大きくなり、特性が低下するという問題が生じる。
【０００５】
本発明の一側面は、特性の向上が図れる積層コイル部品を提供することを目的とする。
【課題を解決するための手段】
【０００６】
本発明の一側面に係る積層コイル部品は、複数の絶縁体層が積層されて形成されており、互いに対向している一対の端面と、互いに対向している一対の主面と、互いに対向している一対の側面と、を有し、一方の主面が実装面である素体と、素体内に配置されており、一対の側面の対向方向に沿ってコイル軸が延在しているコイルと、一対の端面の対向方向において離間して配置されていると共に素体に埋設されている第一端子電極及び第二端子電極と、を備え、第一端子電極及び第二端子電極のそれぞれは、少なくとも端面及び実装面にわたって配置されており、一対の側面の対向方向から見て、第一端子電極及び第二端子電極のそれぞれとコイルの少なくとも一部とは重なっており、一対の端面の対向方向から見て、第一端子電極及び第二端子電極のそれぞれとコイルとは重なっていない。
【０００７】
本発明の一側面に係る積層コイル部品では、第一端子電極及び第二端子電極が素体に埋設されている。そのため、第一端子電極及び第二端子電極が素体の外形内に収まり、素体の外表面から突出しない。したがって、積層コイル部品は、小型化が図れる。この構成において、積層コイル部品では、一対の側面の対向方向から見て、第一端子電極及び第二端子電極のそれぞれとコイルの少なくとも一部とは重なっている。これにより、積層コイル部品では、コイルの内径を大きくすることができるため、Ｑ値の向上が図れる。したがって、積層コイル部品では、特性の向上が図れる。また、積層コイル部品では、一対の端面の対向方向から見て、第一端子電極及び第二端子電極のそれぞれとコイルとは重なっていない。これにより、積層コイル部品では、第一端子電極及び第二端子電極のそれぞれとコイルとの間に発生する浮遊容量を小さくすることができる。これにより、積層コイル部品では、特性の向上が図れる。
【０００８】
一実施形態においては、第一端子電極及び第二端子電極のそれぞれは、実装面に配置されている第一電極部分と、端面に配置されていると共に、一対の側面の対向方向において離間して配置されている第二電極部分及び第三電極部分と、を有していてもよい。この構成では、積層コイル部品を例えば回路基板などに実装したときに、第一電極部分、第二電極部分及び第三電極部分にはんだが形成される。したがって、積層コイル部品と回路基板とを強固に固着させることができる。また、はんだが第二電極部分及び第三電極部分に形成されるため、はんだが確実に形成されていることを視認できる。
【０００９】
一実施形態においては、コイルの一端部は、第一端子電極において第一電極部分に接続されており、コイルの他端部は、第二端子電極において第一電極部分に接続されていてもよい。一対の側面の対向方向に沿ってコイル軸が延在しているコイルが配置されている素体は、コイル導体が形成されている複数の絶縁体層が一対の側面の対向方向において積層されて構成されている。この構成において、コイルの端部のそれぞれは、各端子電極の第一電極部分に接続されている。すなわち、積層コイル部品では、コイル導体と、端子電極とコイルとを接続する接続導体とが同一の絶縁体層に形成されている。したがって、積層コイル部品では、絶縁体層の剥離が生じた場合であっても、各端子電極とコイルとが断線することを防止できるため、各端子電極とコイルとの電気的な接続を維持できる。
【００１０】
一実施形態においては、第二電極部分は、端面及び一方の側面にわたって配置されており、第三電極部分は、端面及び他方の側面にわたって配置されていてもよい。この構成では、一対の側面の対向方向における第二電極部分と第三電極部分との間の距離を大きくできる。これにより、積層コイル部品では、素体内の領域を確保できるため、素体（積層コイル部品）の大きさを維持しつつ、コイルの巻き数を増やすことができる。したがって、積層コイル部品では、特性の向上が図れる。
【００１１】
一実施形態においては、第二電極部分及び第三電極部分のそれぞれには、一対の側面の対向方向において互いに対向する素体内の内面のそれぞれから突出する突出部が設けられていてもよい。この構成では、第二電極部分及び第三電極部分と素体とを強固に固着させることができる。したがって、第一端子電極及び第二端子電極が素体から剥離することを抑制できる。したがって、積層コイル部品では、信頼性の向上が図れる。
【００１２】
一実施形態においては、一対の側面の対向方向から見て、第一端子電極及び第二端子電極のそれぞれは、コイルの内縁よりも内側の領域と重なっていなくてもよい。この構成では、コイルの磁束の流れが第一端子電極及び第二端子電極によって阻害されることを抑制できる。したがって、積層コイル部品では、特性の低下を抑制できる。
【発明の効果】
【００１３】
本発明の一側面によれば、特性の向上が図れる。
【図面の簡単な説明】
【００１４】
【図１】図１は、第一実施形態に係る積層コイル部品を示す斜視図である。
【図２】図２は、図１に示される積層コイル部品の素体及びコイル導体の構成を示す分解斜視図である。
【図３】図３は、端子電極及びコイルの構成を示す図である。
【図４】図４は、端子電極及びコイルの構成を示す図である。
【図５】図５は、第二実施形態に係る積層コイル部品の素体及びコイル導体の構成を示す分解斜視図である。
【図６】図６は、端子電極及びコイルの構成を示す図である。
【図７】図７は、端子電極及びコイルの構成を示す図である。
【図８】図８（ａ）及び図８（ｂ）は、他の実施形態に係る積層コイル部品の端子電極及びコイルの構成を示す図である。
【図９】図９は、他の実施形態に係る積層コイル部品の断面構成を示す図である。
【発明を実施するための形態】
【００１５】
以下、添付図面を参照して、本発明の好適な実施形態について詳細に説明する。なお、図面の説明において同一又は相当要素には同一符号を付し、重複する説明は省略する。
【００１６】
［第一実施形態］
図１に示されるように、積層コイル部品１は、直方体形状を呈している素体２と、一対の端子電極４，５と、を備えている。一対の端子電極４，５は、素体２の両端部にそれぞれ配置されている。直方体形状には、角部及び稜線部が面取りされている直方体の形状、及び、角部及び稜線部が丸められている直方体の形状が含まれる。
【００１７】
素体２は、互いに対向している一対の端面２ａ，２ｂと、互いに対向している一対の主面２ｃ，２ｄと、互いに対向している一対の側面２ｅ，２ｆと、を有している。一対の主面２ｃ，２ｄの対向方向、すなわち、端面２ａ，２ｂに平行な方向が、第一方向Ｄ１である。一対の端面２ａ，２ｂの対向方向、すなわち、主面２ｃ，２ｄに平行な方向が、第二方向Ｄ２である。一対の側面２ｅ，２ｆの対向方向が、第三方向Ｄ３である。本実施形態では、第一方向Ｄ１は、素体２の高さ方向である。第二方向Ｄ２は、素体２の長手方向であり、第一方向Ｄ１と直交している。第三方向Ｄ３は、素体２の幅方向であり、第一方向Ｄ１と第二方向Ｄ２とに直交している。
【００１８】
一対の端面２ａ，２ｂは、一対の主面２ｃ，２ｄの間を連結するように第一方向Ｄ１に延在している。一対の端面２ａ，２ｂは、第三方向Ｄ３、すなわち、一対の主面２ｃ，２ｄの短辺方向にも延在している。一対の側面２ｅ，２ｆは、一対の主面２ｃ，２ｄの間を連結するように第一方向Ｄ１に延在している。一対の側面２ｅ，２ｆは、第二方向Ｄ２、すなわち、一対の端面２ａ，２ｂの長辺方向にも延在している。積層コイル部品１は、電子機器（たとえば、回路基板又は電子部品）に、たとえば、はんだ実装される。積層コイル部品１では、主面２ｄが、電子機器に対向する実装面を構成する。
【００１９】
図２に示されるように、素体２は、第三方向Ｄ３に複数の絶縁体層６が積層されて構成されている。素体２は、積層されている複数の絶縁体層６を有している。素体２では、複数の絶縁体層６が積層されている方向が、第三方向Ｄ３と一致する。実際の素体２では、各絶縁体層６は、各絶縁体層６の間の境界が視認できない程度に一体化されている。各絶縁体層６は、たとえば、磁性材料により構成されている。磁性材料は、たとえば、Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料を含んでいる。各絶縁体層６を構成する磁性材料は、Ｆｅ合金を含んでいてもよい。各絶縁体層６は、非磁性材料から構成されていてもよい。非磁性材料は、たとえば、ガラスセラミック材料又は誘電体材料を含んでいる。本実施形態では、各絶縁体層６は、磁性材料を含むグリーンシートの焼結体から構成されている。
【００２０】
端子電極（第一端子電極）４は、素体２の端面２ａ側に配置されている。端子電極（第二端子電極）５は、素体２の端面２ｂ側に配置されている。一対の端子電極４，５は、第二方向Ｄ２で互いに離間している。各端子電極４，５は、素体２に埋設されている。各端子電極４，５は、素体２に形成される凹部に配置されている。端子電極４は、端面２ａ、主面２ｄ及び側面２ｅ，２ｆにわたって配置されている。端子電極５は、端面２ｂ，主面２ｄ及び側面２ｅ，２ｆにわたって配置されている。本実施形態では、端子電極４の表面は、端面２ａ、主面２ｄ及び側面２ｅ，２ｆのそれぞれと略面一である。端子電極５の表面は、端面２ｂ、主面２ｄ及び側面２ｅ，２ｆのそれぞれと略面一である。
【００２１】
各端子電極４，５は、導電性材料を含んでいる。導電性材料は、たとえば、Ａｇ又はＰｄを含んでいる。各端子電極４，５は、導電性材料粉末を含む導電性ペーストの焼結体として構成されている。導電性材料粉末は、たとえば、Ａｇ粉末又はＰｄ粉末を含んでいる。各端子電極４，５の表面には、めっき層が形成されていてもよい。めっき層は、たとえば、電気めっき又は無電解めっきにより形成される。めっき層は、たとえば、Ｎｉ、Ｓｎ、又はＡｕを含んでいる。
【００２２】
端子電極４は、第一電極部分４ａと、第二電極部分４ｂと、第三電極部分４ｃと、を有している。第一電極部分４ａと第二電極部分４ｂ、及び、第一電極部分４ａと第三電極部分４ｃとは、素体２の稜線部において接続されており、互いに電気的に接続されている。本実施形態では、第一電極部分４ａ、第二電極部分４ｂ及び第三電極部分４ｃは、一体的に形成されている。第一電極部分４ａは、第二方向Ｄ２に沿って延在していると共に、第三方向Ｄ３に沿って延在している。第一電極部分４ａは、第一方向Ｄ１から見て、長方形状を呈している。第二電極部分４ｂ及び第三電極部分４ｃは、第一方向Ｄ１に沿って延在していると共に、第二方向Ｄ２に沿って延在している。第二電極部分４ｂ及び第三電極部分４ｃは、第三方向Ｄ３から見て、長方形状を呈している。
【００２３】
第一電極部分４ａは、端面２ａ、主面２ｄ、及び一対の側面２ｅ，２ｆにわたって配置されている。第二電極部分４ｂは、端面２ａ及び側面２ｅにわたって配置されている。第三電極部分４ｃは、端面２ａ及び側面２ｆにわたって配置されている。端子電極４は、第二方向Ｄ２から見て、略Ｕ字形状（コの字形状）を呈している。端子電極４は、第三方向Ｄ３から見て、Ｌ字状を呈している。
【００２４】
図２に示されるように、端子電極４は、複数の電極層１０，１１，１２が積層されて構成されている。各電極層１０，１１，１２は、対応する絶縁体層６に形成されている欠損部に設けられている。電極層１０，１１，１２は、グリーンシートに形成された欠損部内に位置している導電性ペーストが焼成されることによって、形成される。グリーンシートと導電性ペーストとは同時に焼成される。したがって、グリーンシートから絶縁体層６が得られる際に、導電性ペーストから電極層１０，１１，１２が得られる。実際の端子電極４では、各電極層１０，１１，１２は、各電極層１０，１１，１２の間の境界が視認できない程度に一体化されている。グリーンシートに形成された欠損部によって、焼成後の素体２の、端子電極４が配置される凹部が得られる。
【００２５】
電極層１０は、第三方向Ｄ３から見て、Ｌ字状を呈している。電極層１０は、層部分１０ａ，１０ｂを有している。層部分１０ａは、第一方向Ｄ１に沿って延在している。層部分１０ｂは、第二方向Ｄ２に沿って延在している。電極層１１は、第三方向Ｄ３から見て、長方形状を呈している。電極層１１は、第二方向Ｄ２に沿って延在している。電極層１２は、第三方向Ｄ３から見て、Ｌ字状を呈している。電極層１２は、層部分１２ａ，１２ｂを有している。層部分１２ａは、第一方向Ｄ１に沿って延在している。層部分１２ｂは、第二方向Ｄ２に沿って延在している。
【００２６】
第一電極部分４ａは、電極層１０の層部分１０ａ、電極層１１及び電極層１２の層部分１２ａが積層されることにより構成されている。第一電極部分４ａでは、電極層１０の層部分１０ａ、電極層１１及び電極層１２の層部分１２ａは、電極層１０の層部分１０ａ、電極層１１及び電極層１２の層部分１２ａの間の境界が視認できない程度に一体化されている。第二電極部分４ｂは、電極層１２の層部分１２ｂで構成されている。第三電極部分４ｃは、電極層１０の層部分１０ｂで構成されている。
【００２７】
図１に示されるように、端子電極５は、第一電極部分５ａと、第二電極部分５ｂと、第三電極部分５ｃと、を有している。第一電極部分５ａと第二電極部分５ｂ、及び、第一電極部分５ａと第三電極部分５ｃとは、素体２の稜線部において接続されており、互いに電気的に接続されている。本実施形態では、第一電極部分５ａ、第二電極部分５ｂ及び第三電極部分５ｃは、一体的に形成されている。第一電極部分５ａは、第二方向Ｄ２に沿って延在していると共に、第三方向Ｄ３に沿って延在している。第一電極部分５ａは、第一方向Ｄ１から見て、長方形状を呈している。第二電極部分５ｂ及び第三電極部分５ｃは、第一方向Ｄ１に沿って延在していると共に、第二方向Ｄ２に沿って延在している。第二電極部分５ｂ及び第三電極部分５ｃは、第三方向Ｄ３から見て、長方形状を呈している。
【００２８】
第一電極部分５ａは、端面２ｂ、主面２ｄ、及び一対の側面２ｅ，２ｆにわたって配置されている。第二電極部分５ｂは、端面２ａ及び側面２ｅにわたって配置されている。第三電極部分５ｃは、端面２ｂ及び側面２ｆにわたって配置されている。端子電極５は、第二方向Ｄ２から見て、略Ｕ字形状（コの字形状）を呈している。端子電極５は、第三方向Ｄ３から見て、Ｌ字状を呈している。
【００２９】
図２に示されるように、端子電極５は、複数の電極層１３，１４，１５が積層されて構成されている。各電極層１３，１４，１５は、対応する絶縁体層６に形成されている欠損部に設けられている。電極層１３，１４，１５は、グリーンシートに形成された欠損部内に位置している導電性ペーストが焼成されることによって、形成される。グリーンシートと導電性ペーストとは同時に焼成される。したがって、グリーンシートから絶縁体層６が得られる際に、導電性ペーストから電極層１３，１４，１５が得られる。実際の端子電極４では、各電極層１３，１４，１５は、各電極層１３，１４，１５の間の境界が視認できない程度に一体化されている。グリーンシートに形成された欠損部によって、焼成後の素体２の、端子電極５が配置される凹部が得られる。
【００３０】
電極層１３は、第三方向Ｄ３から見て、Ｌ字状を呈している。電極層１３は、層部分１３ａ，１３ｂを有している。層部分１３ａは、第一方向Ｄ１に沿って延在している。層部分１３ｂは、第二方向Ｄ２に沿って延在している。電極層１４は、第三方向Ｄ３から見て、長方形状を呈している。電極層１４は、第二方向Ｄ２に沿って延在している。電極層１５は、第三方向Ｄ３から見て、Ｌ字状を呈している。電極層１５は、層部分１５ａ，１５ｂを有している。層部分１５ａは、第一方向Ｄ１に沿って延在している。層部分１５ｂは、第二方向Ｄ２に沿って延在している。
【００３１】
第一電極部分５ａは、電極層１３の層部分１３ａ、電極層１４及び電極層１５の層部分１５ａが積層されることにより構成されている。第一電極部分５ａでは、電極層１３の層部分１３ａ、電極層１４及び電極層１５の層部分１５ａは、電極層１３の層部分１３ａ、電極層１４及び電極層１５の層部分１５ａの間の境界が視認できない程度に一体化されている。第二電極部分５ｂは、電極層１５の層部分１５ｂで構成されている。第三電極部分５ｃは、電極層１３の層部分１３ｂで構成されている。
【００３２】
積層コイル部品１は、図３に示されるように、素体２内に配置されているコイル８を備えている。コイル８のコイル軸ＡＸは、第三方向Ｄ３に沿って延在している。コイル８の外形は、第三方向Ｄ３に沿った方向から見て、略矩形状を呈している。
【００３３】
コイル８は、図２に示されるように、第一コイル導体２０と、第二コイル導体２１と、第三コイル導体２２と、第四コイル導体２３と、を有している。第一コイル導体２０、第二コイル導体２１、第三コイル導体２２及び第四コイル導体２３は、第三方向Ｄ３に沿って、第一コイル導体２０、第二コイル導体２１、第三コイル導体２２及び第四コイル導体２３の順に配置されている。第一コイル導体２０、第二コイル導体２１、第三コイル導体２２及び第四コイル導体２３は、ループの一部が途切れた形状を略呈しており、一端と他端とを有している。第一コイル導体２０、第二コイル導体２１、第三コイル導体２２及び第四コイル導体２３は、第一方向Ｄ１に沿って直線状に延在する部分と、第二方向Ｄ２に沿って直線状に延在する部分と、を有している。第一コイル導体２０、第二コイル導体２１、第三コイル導体２２及び第四コイル導体２３は、所定の幅で形成されている。
【００３４】
コイル８は、第一接続導体２５と、第二接続導体２６と、第三接続導体２７と、を有している。第一接続導体２５、第二接続導体２６及び第三接続導体２７は、第三方向Ｄ３に沿って、第一接続導体２５、第二接続導体２６及び第三接続導体２７の順で配置されている。第一接続導体２５、第二接続導体２６及び第三接続導体２７は、矩形状を呈している。
【００３５】
第一コイル導体２０は、一つの電極層１１と一つの電極層１４と同じ層に位置している。第一コイル導体２０は、連結導体２０ａを介して、電極層１１に連結されている。連結導体２０ａは、第一コイル導体２０と同じ層に位置している。第一コイル導体２０の一端が、連結導体２０ａと接続されている。連結導体２０ａは、電極層１１と接続されている。連結導体２０ａは、第一コイル導体２０と電極層１１とを連結している。第一コイル導体２０は、同じ層に位置している電極層１４から離間している。本実施形態では、第一コイル導体２０、連結導体２０ａ、及び電極層１１は、一体に形成されている。
【００３６】
第一接続導体２５は、第一コイル導体２０と第二コイル導体２１との間の絶縁体層６に配置されている。第一接続導体２５が配置されている絶縁体層６には、一つの電極層１１と、一つの電極層１４とが位置している。第一接続導体２５は、同じ層に位置している電極層１１，１４から離間している。第一接続導体２５は、第一コイル導体２０の他端と接続されていると共に、第二コイル導体２１の一端と接続されている。第一接続導体２５は、第一コイル導体２０と第二コイル導体２１とを連結している。
【００３７】
第二コイル導体２１は、一つの電極層１１と一つの電極層１４と同じ層に位置している。第二コイル導体２１は、同じ層に位置している電極層１１，１４から離間している。第一コイル導体２０と第二コイル導体２１とは、第一コイル導体２０と第二コイル導体２１との間に絶縁体層６が介在している状態で、第三方向Ｄ３で互いに隣り合っている。第三方向Ｄ３から見て、第一コイル導体２０の他端と、第二コイル導体２１の一端とが、互いに重なっている。
【００３８】
第二接続導体２６は、第二コイル導体２１と第三コイル導体２２との間の絶縁体層６に配置されている。第二接続導体２６が配置されている絶縁体層６には、一つの電極層１１と、一つの電極層１４とが位置している。第二接続導体２６は、同じ層に位置している電極層１１，１４から離間している。第二接続導体２６は、第二コイル導体２１の他端と接続されていると共に、第三コイル導体２２の一端と接続されている。第二接続導体２６は、第二コイル導体２１と第三コイル導体２２とを連結している。
【００３９】
第三コイル導体２２は、一つの電極層１１と一つの電極層１４と同じ層に位置している。第三コイル導体２２は、同じ層に位置している電極層１１，１４から離間している。第二コイル導体２１と第三コイル導体２２とは、第二コイル導体２１と第三コイル導体２２との間に絶縁体層６が介在している状態で、第三方向Ｄ３で互いに隣り合っている。第三方向Ｄ３から見て、第二コイル導体２１の他端と、第三コイル導体２２の一端とが、互いに重なっている。
【００４０】
第三接続導体２７は、第三コイル導体２２と第四コイル導体２３との間の絶縁体層６に配置されている。第三接続導体２７が配置されている絶縁体層６には、一つの電極層１１と、一つの電極層１４とが位置している。第三接続導体２７は、同じ層に位置している電極層１１，１４から離間している。第三接続導体２７は、第三コイル導体２２の他端と接続されていると共に、第四コイル導体２３の一端と接続されている。第三接続導体２７は、第三コイル導体２２と第四コイル導体２３とを連結している。
【００４１】
第四コイル導体２３は、一つの電極層１１と一つの電極層１４と同じ層に位置している。第四コイル導体２３は、連結導体２３ａを介して、電極層１４に連結されている。連結導体２３ａは、第四コイル導体２３と同じ層に位置している。第四コイル導体２３の他端が、連結導体２３ａと接続されている。連結導体２３ａは、電極層１４と接続されている。連結導体２３ａは、第四コイル導体２３と電極層１４とを連結している。第四コイル導体２３は、同じ層に位置している電極層１１から離間している。本実施形態では、第四コイル導体２３、連結導体２３ａ、及び電極層１４は、一体に形成されている。
【００４２】
第一コイル導体２０、第二コイル導体２１、第三コイル導体２２、第四コイル導体２３は、第一接続導体２５、第二接続導体２６及び第三接続導体２７を通して、電気的に接続されている。第一コイル導体２０、第二コイル導体２１、第三コイル導体２２及び第四コイル導体２３は、コイル８を構成している。コイル８は、連結導体２０ａを通して、端子電極４と電気的に接続されている。コイル８は、連結導体２３ａを通して、端子電極５と電気的に接続されている。
【００４３】
第一コイル導体２０、第二コイル導体２１、第三コイル導体２２及び第四コイル導体２３、連結導体２０ａ，２３ａ、及び、第一接続導体２５、第二接続導体２６及び第三接続導体２７は、導電性材料を含んでいる。導電性材料は、Ａｇ又はＰｄを含んでいる。第一コイル導体２０、第二コイル導体２１、第三コイル導体２２及び第四コイル導体２３、連結導体２０ａ，２３ａ、及び、第一接続導体２５、第二接続導体２６及び第三接続導体２７は、導電性材料粉末を含む導電性ペーストの焼結体として構成されている。導電性材料粉末は、たとえば、Ａｇ粉末又はＰｄ粉末を含んでいる。
【００４４】
本実施形態では、第一コイル導体２０、第二コイル導体２１、第三コイル導体２２及び第四コイル導体２３、連結導体２０ａ，２３ａ、及び、第一接続導体２５、第二接続導体２６及び第三接続導体２７は、各端子電極４，５と同じ導電性材料を含んでいる。第一コイル導体２０、第二コイル導体２１、第三コイル導体２２及び第四コイル導体２３、連結導体２０ａ，２３ａ、及び、第一接続導体２５、第二接続導体２６及び第三接続導体２７は、各端子電極４，５と異なる導電性材料を含んでいてもよい。
【００４５】
第一コイル導体２０、第二コイル導体２１、第三コイル導体２２及び第四コイル導体２３、連結導体２０ａ，２３ａ、及び、第一接続導体２５、第二接続導体２６及び第三接続導体２７は、対応する絶縁体層６に形成されている欠損部に設けられている。第一コイル導体２０、第二コイル導体２１、第三コイル導体２２及び第四コイル導体２３、連結導体２０ａ，２３ａ、及び、第一接続導体２５、第二接続導体２６及び第三接続導体２７は、グリーンシートに形成された欠損部内に位置している導電性ペーストが焼成されることによって、形成される。上述したようにグリーンシートと導電性ペーストとは同時に焼成される。したがって、グリーンシートから絶縁体層６が得られる際に、導電性ペーストから第一コイル導体２０、第二コイル導体２１、第三コイル導体２２及び第四コイル導体２３、連結導体２０ａ，２３ａ、及び、第一接続導体２５、第二接続導体２６及び第三接続導体２７が得られる。
【００４６】
グリーンシートに形成される欠損部は、たとえば、以下の過程によって形成される。まず、絶縁体層６の構成材料及び感光性材料を含む素体ペーストを基材上に付与することにより、グリーンシートを形成する。基材は、たとえば、ＰＥＴフィルムである。素体ペーストに含まれる感光性材料は、ネガ型及びポジ型のどちらであってもよく、公知のものを用いることができる。次に、欠損部に対応するマスクを用い、フォトリソグラフィ法によりグリーンシートを露光及び現像し、基材上のグリーンシートに欠損部を形成する。欠損部が形成されたグリーンシートは、素体パターンである。
【００４７】
電極層１０，１１，１２、電極層１３，１４，１５、第一コイル導体２０、第二コイル導体２１、第三コイル導体２２及び第四コイル導体２３、連結導体２０ａ，２３ａ、及び、第一接続導体２５、第二接続導体２６及び第三接続導体２７は、たとえば、以下の過程によって形成される。
【００４８】
まず、感光性材料を含む導電性ペーストを基材上に付与することにより、導体材料層を形成する。導電性ペーストに含まれる感光性材料は、ネガ型及びポジ型のどちらであってもよく、公知のものを用いることができる。次に、欠損部に対応するマスクを用い、フォトリソグラフィ法により導体材料層を露光及び現像し、欠損部の形状に対応する導体パターンを基材上に形成する。
【００４９】
積層コイル部品１は、たとえば、上述した過程に続く以下の過程によって得られる。導体パターンが、素体パターンの欠損部に組み合わされることにより、素体パターンと導体パターンとが同一層とされたシートが用意される。用意した所定枚数のシートを積層して得られた積層体を熱処理した後に、積層体から、複数のグリーンチップを得る。本過程では、たとえば、切断機で、グリーン積層体をチップ状に切断する。これにより、所定の大きさを有する複数のグリーンチップが得られる。次に、グリーンチップを焼成する。この焼成により、積層コイル部品１が得られる。積層コイル部品１では、端子電極４，５とコイル８とが一体に形成されている。
【００５０】
図３に示されるように、第三方向Ｄ３から見て、端子電極４とコイル８の一部とは重なっている。具体的には、端子電極４の第二電極部分４ｂ及び第三電極部分４ｃとコイル８とが重なっている。同様に、第三方向Ｄ３から見て、端子電極５とコイル８の一部とは重なっている。具体的には、端子電極５の第二電極部分５ｂ及び第三電極部分５ｃとコイル８とが重なっている。
【００５１】
図４に示されるように、第二方向Ｄ２から見て、端子電極４とコイル８とは重なっていない。具体的には、端子電極４の第一電極部分４ａ、第二電極部分４ｂ及び第三電極部分４ｃの全てとコイル８とは重なっていない。同様に、第二方向Ｄ２から見て、端子電極５とコイル８とは重なっていない。具体的には、端子電極５の第一電極部分５ａ、第二電極部分５ｂ及び第三電極部分５ｃの全てとコイル８とは重なっていない。
【００５２】
図３に示されるように、第三方向Ｄ３から見て、端子電極４及び端子電極５は、コイル８の内縁８ａの内側の領域と重なっていない。具体的には、端子電極４の第二電極部分４ｂ及び第三電極部分４ｃとコイル８の内縁８ａの内側の領域とは重なっていない。端子電極５の第二電極部分５ｂ及び第三電極部分５ｃとコイル８の内縁８ａの内側の領域とは重なっていない。すなわち、端子電極４及び端子電極５は、コイル８の内縁８ａによって画成されている領域に位置していない。本実施形態では、第二方向Ｄ２における端子電極４の第三電極部分４ｃ（第二電極部分４ｂ）と端子電極５の第三電極部分５ｃ（第二電極部分５ｂ）との間の距離Ｌ１は、コイル８の内縁８ａの距離Ｌ２以下である。
【００５３】
以上説明したように、本実施形態に係る積層コイル部品１では、端子電極４及び端子電極５が素体２に埋設されている。そのため、端子電極４及び端子電極５が素体２の外形内に収まり、素体２の外表面から突出しない。したがって、積層コイル部品１は、小型化が図れる。この構成において、積層コイル部品１では、第三方向Ｄ３から見て、端子電極４及び端子電極５のそれぞれとコイル８の少なくとも一部とは重なっている。これにより、積層コイル部品１では、コイル８の内径を大きくすることができるため、Ｑ値の向上が図れる。したがって、積層コイル部品１では、特性の向上が図れる。また、積層コイル部品１では、第二方向Ｄ２から見て、端子電極４及び端子電極５のそれぞれとコイル８とは重なっていない。これにより、積層コイル部品１では、端子電極４及び端子電極５のそれぞれとコイル８との間に発生する浮遊容量を小さくすることができる。これにより、積層コイル部品１では、特性の向上が図れる。
【００５４】
本実施形態に係る積層コイル部品１では、端子電極４及び端子電極５のそれぞれは、主面２ｄ（実装面）に配置されている第一電極部分４ａ，５ａと、端面２ａ，２ｂに配置されていると共に、第三方向Ｄ３において離間して配置されている第二電極部分４ｂ，５ｂ及び第三電極部分４ｃ，５ｃと、を有している。この構成では、積層コイル部品１を例えば回路基板などに実装したときに、第一電極部分４ａ，５ａ、第二電極部分４ｂ，５ｂ分及び第三電極部分４ｃ，５ｃにはんだが形成される。したがって、積層コイル部品１と回路基板とを強固に固着させることができる。また、はんだが第二電極部分４ｂ，５ｂ及び第三電極部分４ｃ，５ｃに形成されるため、はんだが確実に形成されていることを視認できる。
【００５５】
本実施形態に係る積層コイル部品１では、コイル８の一端部は、端子電極４において第一電極部分４ａに接続されており、コイル８の他端部は、端子電極５において第一電極部分５ａに接続されている。第三方向Ｄ３に沿ってコイル軸ＡＸが延在しているコイル８が配置されている素体２は、コイル導体が形成されている複数の絶縁体層６が第三方向Ｄ３において積層されて構成されている。この構成において、コイル８の端部のそれぞれは、端子電極４及び端子電極５の第一電極部分４ａ，５ａに接続されている。すなわち、積層コイル部品１では、第一コイル導体２０及び第四コイル導体２３と、端子電極４及び端子電極５とコイル８とを接続する連結導体２０ａ，２３ａとが同一の絶縁体層６に形成されている。したがって、絶縁体層６の剥離が生じた場合であっても、端子電極４及び端子電極５とコイル８とが断線することを防止できるため、端子電極４及び端子電極５とコイル８との電気的な接続を維持できる。
【００５６】
本実施形態に係る積層コイル部品１では、第二電極部分４ｂ，５ｂは、端面２ａ，２ｂ及び一方の側面２ｅにわたって配置されており、第三電極部分４ｃ，５ｃは、端面２ａ，２ｂ及び他方の側面２ｆにわたって配置されている。この構成では、第三方向Ｄ３における第二電極部分４ｂ，５ｂと第三電極部分４ｃ，５ｃとの間の距離を大きくできる。これにより、積層コイル部品１では、素体２内の領域を確保できるため、素体２（積層コイル部品１）の大きさを維持しつつ、コイル８の巻き数を増やすことができる。したがって、積層コイル部品１では、特性の向上が図れる。
【００５７】
本実施形態に係る積層コイル部品１では、第三方向Ｄ３から見て、端子電極４及び端子電極５のそれぞれは、コイル８の内縁８ａよりも内側の領域と重なっていない。この構成では、コイル８の磁束の流れが端子電極４及び端子電極５によって阻害されることを抑制できる。したがって、積層コイル部品１では、特性の低下を抑制できる。
【００５８】
［第二実施形態］
続いて、第二実施形態について説明する。図５及び図６に示されるように、積層コイル部品１Ａは、素体２内に配置されているコイル８Ａを備えている。積層コイル部品１Ａは、コイル８Ａの構成が、積層コイル部品１のコイル８と異なっている。積層コイル部品１Ａは、コイル８Ａ以外の構成は積層コイル部品１と同様である。
【００５９】
コイル８Ａは、図５に示されるように、第一コイル導体３０と、第二コイル導体３１と、第三コイル導体３２と、第四コイル導体３３と、を有している。第一コイル導体３０、第二コイル導体３１、第三コイル導体３２及び第四コイル導体３３は、第三方向Ｄ３に沿って、第一コイル導体３０、第二コイル導体３１、第三コイル導体３２及び第四コイル導体３３の順に配置されている。第一コイル導体３０、第二コイル導体３１、第三コイル導体３２及び第四コイル導体３３は、ループの一部が途切れた形状を略呈しており、一端と他端とを有している。第一コイル導体３０、第二コイル導体３１、第三コイル導体３２及び第四コイル導体３３は、第一方向Ｄ１に沿って直線状に延在する部分と、第二方向Ｄ２に沿って直線状に延在する部分と、を有している。第一コイル導体３０、第二コイル導体３１、第三コイル導体３２及び第四コイル導体３３は、所定の幅で形成されている。
【００６０】
コイル８Ａは、第一接続導体３５と、第二接続導体３６と、第三接続導体３７と、第四接続導体３８と、第五接続導体３９と、を有している。第一接続導体３５、第二接続導体３６、第三接続導体３７、第四接続導体３８及び第五接続導体３９は、第三方向Ｄ３に沿って、第一接続導体３５、第二接続導体３６、第三接続導体３７、第四接続導体３８及び第五接続導体３９の順で配置されている。第一接続導体３５、第二接続導体３６、第三接続導体３７、第四接続導体３８及び第五接続導体３９は、矩形状を呈している。
【００６１】
第一接続導体３５は、電極層１０と第一コイル導体２０との間の絶縁体層６に配置されている。第一接続導体３５が配置されている絶縁体層６には、一つの電極層１１と、一つの電極層１４とが位置している。第一接続導体３５は、同じ層に位置している電極層１１，１４から離間している。第一接続導体３５は、電極層１０の層部分１０ａに接続されていると共に、第一コイル導体３０の一端と接続されている。第一接続導体３５は、端子電極４と第一コイル導体３０とを連結している。
【００６２】
第一コイル導体３０は、一つの電極層１１と一つの電極層１４と同じ層に位置している。第一コイル導体３０は、同じ層に位置している電極層１１，１４から離間している。第一コイル導体３０は、同じ層に位置している電極層１１，１４から離間している。
【００６３】
第二接続導体３６は、第一コイル導体３０と第二コイル導体３１との間の絶縁体層６に配置されている。第二接続導体３６が配置されている絶縁体層６には、一つの電極層１１と、一つの電極層１４とが位置している。第二接続導体３６は、同じ層に位置している電極層１１，１４から離間している。第二接続導体３６は、第一コイル導体３０の他端と接続されていると共に、第二コイル導体３１の一端と接続されている。第二接続導体３６は、第一コイル導体３０と第二コイル導体３１とを連結している。
【００６４】
第二コイル導体３１は、一つの電極層１１と一つの電極層１４と同じ層に位置している。第二コイル導体３１は、同じ層に位置している電極層１１，１４から離間している。第一コイル導体３０と第二コイル導体３１とは、第一コイル導体３０と第二コイル導体３１との間に絶縁体層６が介在している状態で、第三方向Ｄ３で互いに隣り合っている。第三方向Ｄ３から見て、第一コイル導体３０の他端と、第二コイル導体３１の一端とが、互いに重なっている。
【００６５】
第三接続導体３７は、第二コイル導体３１と第三コイル導体３２との間の絶縁体層６に配置されている。第三接続導体３７が配置されている絶縁体層６には、一つの電極層１１と、一つの電極層１４とが位置している。第三接続導体３７は、同じ層に位置している電極層１１，１４から離間している。第三接続導体３７は、第二コイル導体３１の他端と接続されていると共に、第三コイル導体３２の一端と接続されている。第三接続導体３７は、第二コイル導体３１と第三コイル導体３２とを連結している。
【００６６】
第三コイル導体３２は、一つの電極層１１と一つの電極層１４と同じ層に位置している。第三コイル導体３２は、同じ層に位置している電極層１１，１４から離間している。第二コイル導体３１と第三コイル導体３２とは、第二コイル導体３１と第三コイル導体３２との間に絶縁体層６が介在している状態で、第三方向Ｄ３で互いに隣り合っている。第三方向Ｄ３から見て、第二コイル導体３１の他端と、第三コイル導体３２の一端とが、互いに重なっている。
【００６７】
第四接続導体３８は、第三コイル導体３２と第四コイル導体３３との間の絶縁体層６に配置されている。第四接続導体３８が配置されている絶縁体層６には、一つの電極層１１と、一つの電極層１４とが位置している。第四接続導体３８は、同じ層に位置している電極層１１，１４から離間している。第四接続導体３８は、第三コイル導体３２の他端と接続されていると共に、第四コイル導体３３の一端と接続されている。第四接続導体３８は、第三コイル導体３２と第四コイル導体３３とを連結している。
【００６８】
第四コイル導体３３は、一つの電極層１１と一つの電極層１４と同じ層に位置している。第四コイル導体２３は、同じ層に位置している電極層１１，１４から離間している。
【００６９】
第五接続導体３９は、電極層１５と第四コイル導体２３との間の絶縁体層６に配置されている。第五接続導体３９が配置されている絶縁体層６には、一つの電極層１１と、一つの電極層１４とが位置している。第五接続導体３９は、同じ層に位置している電極層１１，１４から離間している。第五接続導体３９は、電極層１５の層部分１５ａに接続されていると共に、第四コイル導体３３の他端と接続されている。第五接続導体３９は、端子電極５と第四コイル導体３３とを連結している。
【００７０】
第一コイル導体３０、第二コイル導体３１、第三コイル導体３２、第四コイル導体３３は、第一接続導体３５、第二接続導体３６、第三接続導体３７、第四接続導体３８及び第五接続導体３９を通して、電気的に接続されている。第一コイル導体３０、第二コイル導体３１、第三コイル導体３２及び第四コイル導体３３は、コイル８Ａを構成している。
【００７１】
図６に示されるように、第三方向Ｄ３から見て、端子電極４とコイル８Ａの一部とは重なっている。具体的には、端子電極４の第二電極部分４ｂ及び第三電極部分４ｃとコイル８Ａとが重なっている。同様に、第三方向Ｄ３から見て、端子電極５とコイル８Ａの一部とは重なっている。具体的には、端子電極５の第二電極部分５ｂ及び第三電極部分５ｃとコイル８Ａとが重なっている。
【００７２】
図７に示されるように、第二方向Ｄ２から見て、端子電極４とコイル８Ａとは重なっていない。具体的には、端子電極４Ａの第一電極部分４ａ、第二電極部分４ｂ及び第三電極部分４ｃの全てとコイル８Ａとは重なっていない。同様に、第二方向Ｄ２から見て、端子電極５とコイル８Ａとは重なっていない。具体的には、端子電極５の第一電極部分５ａ、第二電極部分５ｂ及び第三電極部分５ｃの全てとコイル８Ａとは重なっていない。
【００７３】
図６に示されるように、第三方向Ｄ３から見て、端子電極４及び端子電極５は、コイル８Ａの内縁８Ａａの内側の領域と重なっていない。具体的には、端子電極４の第二電極部分４ｂ及び第三電極部分４ｃとコイル８Ａの内縁８Ａａの内側の領域とは重なっていない。端子電極５の第二電極部分５ｂ及び第三電極部分５ｃとコイル８Ａの内縁８Ａａの内側の領域とは重なっていない。すなわち、端子電極４及び端子電極５は、コイル８Ａの内縁８Ａａによって画成されている領域に位置していない。本実施形態では、第二方向Ｄ２における端子電極４の第三電極部分４ｃ（第二電極部分４ｂ）と端子電極５の第三電極部分５ｃ（第二電極部分５ｂ）との間の距離Ｌ１は、コイル８Ａの内縁８Ａａの距離Ｌ２以下である。
【００７４】
本実施形態に係る積層コイル部品１Ａでは、第三方向Ｄ３から見て、端子電極４及び端子電極５のそれぞれとコイル８Ａの少なくとも一部とは重なっている。これにより、積層コイル部品１Ａでは、コイル８Ａの内径を大きくすることができるため、Ｑ値の向上が図れる。したがって、積層コイル部品１Ａでは、特性の向上が図れる。また、積層コイル部品１Ａでは、第二方向Ｄ２から見て、端子電極４及び端子電極５のそれぞれとコイル８Ａとは重なっていない。これにより、積層コイル部品１Ａでは、端子電極４及び端子電極５のそれぞれとコイル８Ａとの間に発生する浮遊容量を小さくすることができる。これにより、積層コイル部品１Ａでは、特性の向上が図れる。
【００７５】
以上、本発明の実施形態について説明してきたが、本発明は必ずしも上述した実施形態に限定されるものではなく、その要旨を逸脱しない範囲で様々な変更が可能である。
【００７６】
上記実施形態では、端子電極４及び端子電極５の第二電極部分４ｂ，５ｂが側面２ｅに配置されており、第三電極部分４ｃ，５ｃが側面２ｆに配置されている形態を一例に説明した。しかし、端子電極４及び端子電極５の形状はこれに限定されない。
【００７７】
図８（ａ）及び図８（ｂ）に示されるように、積層コイル部品１Ｂは、端子電極４Ａ及び端子電極５Ａを備えている。端子電極４Ａは、第一電極部分４Ａａと、第二電極部分４Ａｂと、第三電極部分４Ａｃと、を有している。同様に、端子電極５Ａは、第一電極部分と、第二電極部分と、第三電極部分と、を有している。端子電極４Ａの第二電極部分４Ａｂ及び第三電極部分４Ａｃは、端面２ａに配置されている。第二電極部分４Ａｂ及び第三電極部分４Ａｃは、側面２ｅ，２ｆには配置されていない。同様に、端子電極５Ａの第二電極部分及び第三電極部分は、端面２ｂに配置されている。端子電極５Ａの第二電極部分及び第三電極部分は、側面２ｅ，２ｆには配置されていない。
【００７８】
積層コイル部品１Ｂにおいても、第三方向Ｄ３から見て、端子電極４Ａ及び端子電極５Ａのそれぞれとコイル８Ｂの少なくとも一部とは重なっている。これにより、積層コイル部品１Ｂでは、コイル８Ｂの内径を大きくすることができるため、Ｑ値の向上が図れる。したがって、積層コイル部品１Ｂでは、特性の向上が図れる。また、積層コイル部品１Ｂでは、第二方向Ｄ２から見て、端子電極４Ａ及び端子電極５Ａのそれぞれとコイル８Ｂとは重なっていない。これにより、積層コイル部品１Ｂでは、端子電極４Ａ及び端子電極５Ａのそれぞれとコイル８Ｂとの間に発生する浮遊容量を小さくすることができる。これにより、積層コイル部品１Ｂでは、特性の向上が図れる。
【００７９】
また、積層コイル部品１Ｂでは、端子電極４Ａの第二電極部分４Ａｂ及び第三電極部分４Ａｃ、及び、端子電極５Ａの第二電極部分及び第三電極部分が端面２ａ，２ｂにのみ配置されている。そのため、積層コイル部品１Ｂでは、端子電極４Ａ及び端子電極５Ａが素体２から剥離することを抑制できる。
【００８０】
上記実施形態に加えて、図９に示されるように、積層コイル部品１Ｃの端子電極４Ｂ（５Ｂ）は、第一電極部分４Ｂａ（５Ｂａ）と、第二電極部分４Ｂｂ（５Ｂｂ）と、第三電極部分４ｂｃ（５Ｂｃ）と、を備えている。以下、端子電極４Ｂを一例に説明する。
【００８１】
端子電極４Ｂには、突出部４０，４１，４２，４３が設けられている。突出部４０，４１は、端子電極４Ｂの第二電極部分４Ｂｂの内面４ｄから突出している。突出部４２，４３は、端子電極４Ｂの第三電極部分４Ｂｃの内面４ｅから突出している。内面４ｄ及び内面４ｅは、第三方向Ｄ３において互いに対向する素体２内の面である。突出部４０，４１，４２，４３は、例えば、円柱状、角柱状である。
【００８２】
突出部４０と突出部４１とは、第一方向Ｄ１において、所定の間隔をあけて配置されている。同様に、突出部４２と突出部４３とは、第一方向Ｄ１において、所定の間隔をあけて配置されている。なお、第二電極部分４Ｂｂ及び第三電極部分４Ｂｃのそれぞれに設けられる突出部の数は、一又は複数（３以上）であってもよい。また、突出部４１に接続される接続部が更に設けられていてもよい。接続部は、第三方向Ｄ３から見て、突出部４１とずれた位置に配置されていることが好ましい。他の突出部４１，４２，４３についても同様に、接続部が設けられていてもよい。
【００８３】
積層コイル部品１Ｂでは、第二電極部分４Ｂｂ（５Ｂｂ）及び第三電極部分４ｂｃ（５Ｂｃ）のそれぞれには、第三方向Ｄ３において互いに対向する素体２内の内面４ｄ，４ｅのそれぞれから突出する突出部４０，４１，４２，４３が設けられている。この構成では、第二電極部分４Ｂｂ（５Ｂｂ）及び第三電極部分４ｂｃ（５Ｂｃ）と素体２とを強固に固着させることができる。したがって、端子電極４Ｂ及び端子電極５Ｂが素体２から剥離することを抑制できる。したがって、積層コイル部品１Ｂでは、信頼性の向上が図れる。
【００８４】
上記実施形態では、コイル８が、第一コイル導体２０、第二コイル導体２１、第三コイル導体２２及び第四コイル導体２３、連結導体２０ａ，２３ａ、及び、第一接続導体２５、第二接続導体２６及び第三接続導体２７を有している形態を一例に説明した。しかし、コイル８を構成する各導体の数は上述した値に限られない。コイル８Ａ，８Ｂについても同様である。
【００８５】
上記実施形態では、絶縁体層６が、磁性材料又は非磁性材料により構成されている形態を一例に説明した。しかし、絶縁体層６は、たとえば、樹脂材料により構成されていてもよい。この構成において、コイル８，８Ａ，８Ｂの各導体を構成する材料は、たとえば、Ｃｕであってもよい。
【符号の説明】
【００８６】
１，１Ａ，１Ｂ，１Ｃ…積層コイル部品、２…素体、２ａ，２ｂ…端面、２ｃ，２ｄ…主面（実装面）、２ｅ，２ｆ…側面、４，４Ａ，４Ｂ…端子電極（第一端子電極）、４ａ，４Ａａ，４Ｂａ…第一電極部分、４ｂ，４Ａｂ，４Ｂｂ…第二電極部分、４ｃ，４Ａｃ，４Ｂｃ…第三電極部分、４ｄ，４ｅ…内面、５，５Ａ，５Ｂ…端子電極（第二端子電極）、５ａ…第一電極部分、５ｂ…第二電極部分、５ｃ…第三電極部分、６…絶縁体層、８，８Ａ，８Ｂ…コイル、８ａ，８Ａａ…内縁、４０，４１，４２，４３…突出部、ＡＸ…コイル軸。
【図１】
2020119978.tif 000003
【図２】
2020119978.tif 000004
【図３】
2020119978.tif 000005
【図４】
2020119978.tif 000006
【図５】
2020119978.tif 000007
【図６】
2020119978.tif 000008
【図７】
2020119978.tif 000009
【図８】
2020119978.tif 000010
【図９】
2020119978.tif 000011